(57)【要約】【課題】均一度が向上された白色光を出射するバックライトアセンブリ及びそれを有する表示装置を提供する。【解決手段】バックライトアセンブリ５は複数個の点光源１０、光学シート３０及び反射板５０を含む。点光源１０は赤色光を出射する赤色発光ダイオードＲ、緑色光を出射する緑色発光ダイオードＧ及び青色光を出射する青色発光ダイオードＢを含む。光学シート３０は点光源１０上に配置され、赤色光、緑色光及び青色光の一部が混色された白色光を出射し残り光を反射させる。反射板５０は点光源１０の下に配置され、反射板５０には残りの光を拡散させるパターンが形成される。従って、赤色光、緑色光及び青色光の混色効率が向上される。【選択図】図３
2007200881.tif 000002
【特許請求の範囲】
【請求項１】
赤色光を出射する赤色発光ダイオード、緑色光を出射する緑色発光ダイオード及び青色光を出射する青色発光ダイオードを含む複数個の点光源と、
前記点光源上部に配置され、前記赤色光と、前記緑色光と、前記青色光と、前記赤色光の一部、前記緑色光の一部及び前記青色光の一部が混合された白色光とが入射される光学シートと、
前記光学シートによって反射された光の印加を受け、反射部が形成された反射板と、
を含むことを特徴とするバックライトアセンブリ。
【請求項２】
前記反射板には、前記点光源がそれぞれ配置される開口が形成されることを特徴とする請求項１記載のバックライトアセンブリ。
【請求項３】
前記開口には、１個の前記赤色発光ダイオード、２個の前記緑色発光ダイオード及び１個の前記青色発光ダイオードが配置されることを特徴とする請求項２記載のバックライトアセンブリ。
【請求項４】
前記赤色発光ダイオード、緑色発光ダイオード及び青色発光ダイオードは菱形の頂点をなすようにそれぞれ配置され、前記緑色発光ダイオードは前記菱形の同一の対角線上に配置されることを特徴とする請求項３記載のバックライトアセンブリ。
【請求項５】
前記光学シートは、
前記赤色光、緑色光及び青色光を拡散させる拡散シートと、
前記拡散シート上に配置され前記白色光を出射するデューアル輝度上昇フィルムと、を含むことを特徴とする請求項１〜４のいずれか１項に記載のバックライトアセンブリ。
【請求項６】
前記反射部は、底面が多角錐形状を有することを特徴とする請求項１〜５のいずれか１項に記載のバックライトアセンブリ。
【請求項７】
互いに隣接した前記反射部の底面は、一つの辺を共有することを特徴とする請求項６記載のバックライトアセンブリ。
【請求項８】
前記底面は正四角形または正三角形であり、
前記正四角形の底辺の大きさを一辺の長さとし、前記正三角形の底辺の大きさを、頂点およびこの頂点と対応する下辺の中心点の間の距離と定義した際に、前記反射部の高さと前記底面の大きさとの比率は、１．０：４．９乃至５．１であることを特徴とする請求項７記載のバックライトアセンブリ。
【請求項９】
前記底面は正四角形または正三角形であり、
前記正四角形の底辺の大きさを一辺の長さとし、前記正三角形の底辺の大きさを、頂点およびこの頂点と対応する下辺の中心点の間の距離と定義した際に、前記反射部の高さと前記底面の大きさとの比率は、１．０：９．９乃至１０．１であることを特徴とする請求項７記載のバックライトアセンブリ。
【請求項１０】
前記底面は正四角形または正三角形であり、
前記正四角形の底辺の大きさを一辺の長さとし、前記正三角形の底辺の大きさを、頂点およびこの頂点と対応する下辺の中心点の間の距離と定義した際に、前記反射部の高さと前記底面の大きさとの比率は１：１であり、前記高さは７ｍｍ乃至１１ｍｍであることを特徴とする請求項７記載のバックライトアセンブリ。
【請求項１１】
前記反射部は、円錐形状を有することを特徴とする請求項１〜５のいずれか１項に記載のバックライトアセンブリ。
【請求項１２】
前記反射部は、半円形の外形状を有するエンボシングを含むことを特徴とする請求項１〜５のいずれか１項に記載のバックライトアセンブリ。
【請求項１３】
互いに隣接した前記エンボシング部の底面は、互いに接することを特徴とする請求項１２記載のバックライトアセンブリ。
【請求項１４】
前記エンボシング部の高さと前記底面の半径の比率は、１．０：２．９乃至３．１であることを特徴とする請求項１３記載のバックライトアセンブリ。
【請求項１５】
前記エンボシング部の高さ、前記エンボシング部の底面の半径及び隣接した前記底面間の離隔間隔の比率は、１：１：０．７乃至０．９であることを特徴とする請求項１２記載のバックライトアセンブリ。
【請求項１６】
赤色光、緑色光及び青色光を出射する複数個の点光源と、
前記点光源上に配置され前記赤色光、緑色光及び青色光の一部が混色された白色光を出射し、残りの光を反射させる光学シートと、
前記点光源が露出される開口が形成され前記残りの光を拡散させるパターンが形成された反射板と、
前記光学シートから出射された光に基づいて画像を表示する表示パネルと、
を含むことを特徴とする表示装置。
【請求項１７】
前記パターンは、円錐形状を有する反射部を含むことを特徴とする請求項１６記載の表示装置。
【請求項１８】
前記パターンは、半円形の外形状を有するエンボシング部を含むことを特徴とする請求項１６記載の表示装置。
【請求項１９】
前記点光源が収納され、底板及び前記底板の周辺部に配置され前記表示パネルを支持する側壁を含む収納容器と、
前記点光源が実装される電源供給基板と、をさらに含むことを特徴とする請求項１６〜１８のいずれか１項に記載の表示装置。
【発明の詳細な説明】
【技術分野】
【０００１】
本発明は、バックライトアセンブリ及びそれを有する表示装置に係わり、より詳細には、出射光の色の均一性が向上されたバックライトアセンブリ及びそれを有する表示装置に関する。
【背景技術】
【０００２】
前記液晶表示装置に採用されるバックライトアセンブリは光源の配置によって直下型バックライトアセンブリ及びエッジ型バックライトアセンブリで区分される。直下型バックライトアセンブリでは、表示パネルの下部に複数個の光源が配置される。エッジ型バックライトアセンブリは、導光板の側面に光源が配置され表示パネルに光を提供する。
【０００３】
発光ダイオードを光源として使用する場合、一般に、前記表示パネルの高色再現性の向上のために赤色光を出射する赤色発光ダイオード、緑色光を出射する緑色発光ダイオード及び青色光を出射する青色発光ダイオードを共に使用する。しかし、表示用光としては白色光が必要であるため、前記３色を出射する発光ダイオードを表示用光源として使用するためには、前記液晶表示装置は前記３色を非常に均一な白色光にミキシング（ホワイトミキング）するメカニズムを備えなければならない。
【０００４】
発光ダイオードは、発光ダイオード波長、輝度及び駆動電圧を基にグループ分けされて分類される。従って、液晶表示装置には、発光ダイオードの光特性や光出射方式に関する分類に関係なく、光を照射するバックライトアセンブリを開発することが要求される。
【発明の開示】
【発明が解決しようとする課題】
【０００５】
そこで、本発明の技術的課題はこのような従来の問題点を解決するためのものであり、本発明の目的は、点光源が出射した赤色光、緑色光及び青色光の混色効率が向上されたバックライトアセンブリを提供することにある。
【０００６】
本発明の他の目的は、前記バックライトアセンブリを含む表示装置を提供することにある。
【課題を解決するための手段】
【０００７】
前記した本発明の目的を実現するために一実施形態によるバックライトアセンブリは、複数個の点光源、光学シート及び反射板を含む。前記点光源は、赤色光を出射する赤色発光ダイオード、緑色光を出射する緑色発光ダイオード及び青色光を出射する青色発光ダイオードを含む。前記光学シートは、前記点光源上に配置され前記赤色光、緑色光及び青色光の一部が混色された白色光を出射し残りの光を反射させる。前記反射板は、前記点光源の下に配置され、前記反射板には前記残りの光を拡散させて混色効率を向上させるパターンが形成される。
【０００８】
前記した本発明の他の目的を実現するために、一実施形態による表示装置は、複数個の点光源、光学シート、反射板及び表示パネルを含む。前記点光源は、赤色光、緑色光及び青色光を出射する。前記光学シートは、前記点光源上に配置され前記赤色光、緑色光及び青色光の一部が混色された白色光を出射し残りの光を反射させる。前記反射板にはパターン及び開口が形成される。前記開口を通じて前記点光源が露出され、前記パターンは、前記残りの光を拡散させ混色効率を向上させる。前記表示パネルは、前記光学シートから出射された光に基づいて画像を表示する。
【０００９】
このようなバックライトアセンブリ及び表示装置によると、赤色発光ダイオード、緑色発光ダイオード及び青色発光ダイオードが直下型に配置されたバックライトアセンブリが出射する白色光の色均一度が向上され、表示装置の画質が向上される。
【発明を実施するための最良の形態】
【００１０】
以下、添付図面を参照して、本発明の好ましい実施形態をより詳細に説明する。
【００１１】
＜バックライトアセンブリ＞
図１は本発明の一実施形態によるバックライトアセンブリの分解斜視図である。図２は図１に示されたバックライトアセンブリをＩ−Ｉ‘線に沿って切断した部分断面図である。
【００１２】
図１及び図２を参照すると、バックライトアセンブリ５は、複数個の点光源１０、光学シート３０及び反射板５０を含む。
【００１３】
前記バックライトアセンブリ５は、前記点光源１０が配置される電源供給基板２０をさらに含む。前記電源供給基板２０は外部の電源供給部と電気的に接続され、前記電源供給部から前記点光源１０の駆動のための駆動電流の印加を受ける。前記電源供給基板２０には導電パターンが形成され、前記点光源１０は前記導電パターンに電気的に接続される。
【００１４】
前記点光源１０は、前記電源供給基板２０の長辺に沿う方向に並んでいる３つの列に配置される。前記３つの列のうち両側端列に配置された点光源１０は、前記電源供給基板２０の短辺に沿う方向に互いに同一線上に配置され、前記３列のうち真ん中の列に配置された点光源１０は、前記端列に配置された点光源１０と外れて配置される。
【００１５】
他の実施形態において、前記点光源１０が配列されるパターンは多様に変更されることができる。例えば、前記点光源１０は正六角形の頂点に配置されることができる。
【００１６】
前記点光源１０は、複数個の発光ダイオードＲ、Ｇ、Ｂを含む。具体的に、前記点光源１０は１個の赤色発光ダイオードＲ、２個の緑色発光ダイオードＧ、及び１個の青色発光ダイオードＢを含む。前記赤色、緑色及び青色発光ダイオードＢはそれぞれ赤色光、緑色光及び青色光（以下、３色光）を出射する。
【００１７】
前記赤色、緑色及び青色発光ダイオードＲ、Ｇ、Ｂは菱形の４個の頂点に配置される。前記赤色及び青色発光ダイオードＲ、Ｂは前記長辺に沿う方向に互いに対向に配置され、前記２個の緑色発光ダイオードＧは前記短辺に沿う方向に互いに対向して配置される。
【００１８】
他の実施形態において、前記赤色、緑色及び青色発光ダイオードＢが配置されるパターンは多様に変更されることができる。例えば、前記赤色、緑色及び青色発光ダイオードＲ、Ｇ、Ｂは正三角形の頂点に配置されることができる。
【００１９】
本実施形態において、前記赤色、緑色及び青色発光ダイオードＲ、Ｇ、Ｂは、頂部面発光（ｔｏｐ  ｅｍｉｔｔｉｎｇ）方式で光を出射する発光ダイオードである。具体的に、前記赤色、緑色及び青色発光ダイオードＲ、Ｇ、Ｂは、前記３色光を出射する発光ダイオードチップと、前記３色光の進行経路上に配置されたレンズを含む。前記レンズは、大略半円形または楕円形に類似した外形状を有する。それにより、前記レンズを通過して出射される前記赤色光、緑色光及び青色光は、前記各発光ダイオードＲ、Ｇ、Ｂの仮想の垂直線を基準にして約０°〜７０°の出射角で出射され、前記各発光ダイオードＲ、Ｇ、Ｂの前記仮想の垂直線を基準にして前記７０°以上の出射角で出射される光量は非常に小さい。
【００２０】
これとは異なる実施形態において、前記赤色、緑色及び青色発光ダイオードＲ、Ｇ、Ｂは側面発光（Ｓｉｄｅ  ｅｍｉｔｔｎｇ）方式で光を出射する発光ダイオードであってもよい。
【００２１】
前記光学シート３０は、前記点光源１０上に配置され前記３色光の一部が混色された白色光を出射し残りの光を反射させる。前記光学シート３０は、拡散板３１、拡散シート３３及びＤＢＥＦフィルム（Ｄｕａｌ  Ｂｒｉｇｈｔｎｅｓｓ  Ｅｎｈａｎｃｅｍｅｎｔ  ｆｉｌｍ；ＤＢＥＦ；デューアル輝度上昇フィルム）３５を含む。前記拡散バンプ３１、拡散シート３３及びＤＢＥＦフィルム３５は、その名称の順序通りに積層される。
【００２２】
前記３色光は前述したように出射角を有して出射されるので、前記点光源１０から所定間隔離隔された位置で前記光が混色された第１白色光を観測することができる。この際、前記３色光の干渉で発生される第１白色光は、第１色均一度を有する。前記第１色均一度を有する第１白色光は、その名称と異なって白色で視認できない場合があり、表示用として使用されるには色均一度が低い。
【００２３】
前記拡散板３１は、前記３色光及び第１白色光の一部を反射させ残りを拡散させて第２白色光を出射する。この際、前記白色光への混色のための距離を確保するために、前記拡散板３１は前記点光源１０から所定間隔離隔されるように配置されることが望ましい。
【００２４】
前記拡散板３１は、プレート形状を有することが望ましく、光透過率、耐熱性、耐化学性、機械的強度などが優れた高分子樹脂を含む。前記高分子樹脂の例としては、ポリメチルメタクリレート、ポリアミド、ポリイミド、ポリプロピレン及びポリウレタンなどを挙げることができる。前記拡散板３１は、光拡散の効率を増加させるために前記高分子樹脂からなるベース板に埋設される拡散ビーズをさらに含むことができる。
【００２５】
前記拡散板３１から出射される前記第２白色光は、前記第１白色光より色均一度が高い第２色均一度を有する。しかし、前記第２白色光の場合も表示用に適合した白色光としては不適合である可能性がある。
【００２６】
前記拡散シート３３は、前記拡散板３１と材質及び機能が同一であり、フレキシブルな特性を有する。前記拡散シート３３は、前記拡散板３１上に配置され前記第２白色光を拡散させて第３白色光を出射する。前記第３白色光は、前記第２色均一度より高い第３色均一度を有する。前記拡散板３１及び拡散シート３３は、光を光学シート３０に対して略垂直な方向へ拡散させるが、側方向（前述の光学シート３０に対して略垂直な方向と交差する方向）への混色は十分でなく、それにより、前記第３白色光も表示装置で要求される白色光として不適合である可能性がある。
【００２７】
従って、根本的に白色光としての混色効率を向上させるためには、前記バックライトアセンブリ５は、側方向に光をさらに拡散させるために前記ＤＢＥＦフィルム３５を含み、色均一度が要求される程度より低い白色光を再度リサイクルさせて混色の程度を増加させる必要がある。
【００２８】
前記ＤＢＥＦフィルム３５は、前記拡散シート３３上に配置される。前記ＤＢＥＦフィルム３５は、輝度を２倍に強化させる特性を有したフィルムとして、例えば米国の３Ｍ社から市販されている。
【００２９】
具体的に、光を互いに垂直を成して振動するＳ波とＰ波の２個の成分で構成された波動で単純化するとき、前記ＤＢＥＦフィルム３５は、前記Ｓ波の振動方向を前記Ｐ波の振動方向と同一に変更して出射させる。それにより、前記Ｐ波を通過させ前記Ｓ波は消滅させる偏光板に対して、光が前記ＤＢＥＦフィルム３５を通過して前記偏光板を通過する場合、前記Ｓ波は損失されずに前記Ｐ波に変更されて前記偏光板を通過する。その結果、前記ＤＢＥＦフィルム３５は、前記偏光板を通過する光に対して輝度を約２倍上昇させる役割をする。
【００３０】
前記ＤＢＥＦフィルム３５は屈折率が異なる複数の層を含み、前記輝度上昇シートに入射された光は、前記層の境界面で屈折及び反射を反復する。それにより、前記輝度上昇シートは、前記第３白色光より色均一度の高い第４白色光を出射する。前記第３白色光は一部が前記ＤＢＥＦフィルム３５によって前記第４白色光に変換され、残りが反射されて前記拡散シート３３及び拡散板３１を経由する。
【００３１】
図３は図１に示された第１領域の拡大図である。
【００３２】
図１乃至図３を参照すると、前記反射板５０は前記点光源１０の下に配置され、前記反射板５０にはパターンが形成される。前記パターンは、前記光学シート３０から反射された光を側方向に拡散させて混色効率を向上させる。前記反射板５０は、フレキシブルなベースフィルム上に光反射率の優れた物質で前記パターンを印刷するか、プレス工程を通じて製作することができる。
【００３３】
前記パターンは複数の反射部５１を含む。前記反射部５１は底面多角形で錐形状を有する。前記反射部５１は互いに接するように形成される。即ち、互いに隣接した前記反射部５１の底面は一つの辺を共有する。
【００３４】
本実施形態において、前記反射部５１はピラミッド形状を有する。従って、前記底面は正四角形である。他の実施形態において、前記反射部５１は底面が正三角形である三角錐形状を有することができる。これとは異なる実施形態において、前記反射部５１は円錐形状を有することができる。
前記反射板５０には、前記点光源１０に対応する複数個の開口５３が形成される。前記点光源１０が配置された前記電源供給基板２０が前記反射板の背面に配置されることにより、前記点光源１０は前記開口５３にそれぞれ挿入される。この際、前記点光源１０は前記パターンより若干高く突出される。
【００３５】
前述したように、前記点光源１０は１個の前記赤色発光ダイオードＲ、２個の前記緑色発光ダイオードＧ及び１個の前記青色発光ダイオードＢを含み、一つの前記開口５３には１個の前記赤色発光ダイオードＲ、２個の前記緑色発光ダイオードＧ、及び１個の前記青色発光ダイオードＢが菱形形態に配置される。
【００３６】
前記赤色発光ダイオードＲ、緑色発光ダイオードＧ及び青色発光ダイオードから出射された前記３色光または前述した第１白色光は前記拡散板３１で一部が反射される。また、前述した第２白色光は前記拡散シート３３で一部が反射され、前述した第３白色光は前記ＤＢＥＦフィルム３５で一部が反射される。
【００３７】
このように、前記光学シート３０から反射されてリサイクルされる光を反射光として定義するとき、前記反射光は前記反射板５０で再度反射される。この際、前記パターンを成す前記反射部５１に起因して前記反射光はより側方向に進行するように反射される。その結果、前記反射光の混色の程度が増加し、再度前記光学シート３０に入射される白色光の色均一度が前記第３白色光より向上される。
【００３８】
一方、前記パターンによって前記反射光が白色光に混色される程度は、前記パターンの形状に大きく影響を受ける。
【００３９】
図４はピラミッドの高さを固定しピラミッドの底辺の大きさを変化させるときの色均一度を示すグラフである。前記底辺の大きさは底面の中心を通る線の長さである。例えば、三角形の場合、前記底辺の大きさは頂点およびこの頂点と対応する下辺の中心点の間の距離である。また、底面が正四角形のピラミッドの場合は、底辺の大きさは底面の一辺の長さに等しい。
【００４０】
具体的に、図４は図１乃至図３に示されたバックライトアセンブリ５を１６インチサイズで製作して、プロメトリック（ｐｒｏｍｅｔｒｉｃ）装置（色均一度測定装置）で色均一度を２次元画像で測定し、前記２次元画像を実測してシミュレーションした結果を示す。
【００４１】
グラフで、横軸は前記反射部５１、即ち、前記ピラミッドの底辺の長さを示し、縦軸は色均一度を示す。前記色均一度は前記２次元画像で互いに垂直を成すｕ−ｖ軸に対して、Δｕｖの微小面積を観測する場合に、隣接したΔｕｖ間色指数がΔｕｖ＜０．００６以下である点が前記２次元画像の全体に何パーセントを占めているかを定量化したのを示す。前記パーセント（％）が高いほど、前記バックライトアセンブリ５が出射する白色光の色均一度が高いことを意味する。
【００４２】
図４を参照すると、前記反射板５０に前記パターンが形成されず平坦な場合、Δｕｖ＜０．００６以下である点は前記２次元画像全体で約５０．６２％であり、グラフに点で示されている。
【００４３】
一方、本発明では前記ピラミッドの高さを１ｍｍに固定し、前記ピラミッドの底辺の大きさを変化させ前記２次元画像をシミュレーションして前記パーセントを算出した。その結果、図４に示されたように、従来の色均一度より優れた色均一度が示される２個のピーク点（ピラミッド底辺が約５ｍｍまたは約１０ｍｍである場合色均一度は約６２．０６％である）が存在することがわかる。
【００４４】
従って、若干の誤差を考慮して、前記ピラミッドの高さと前記底面の大きさとの比率は、１．０：４．９乃至５．１であるか、１．０：９．９乃至１０．１であることが望ましい。
【００４５】
これとは異なる実施形態において、前記反射部５１が三角推または円錐である場合にも、前記反射部５１の形状によってバックライトアセンブリ５が出射する白色光の色均一度の最適化ポイントが存在し、その反射部５１の高さと底辺の大きさは前記した比率の範囲と大略類似することを推定することができる。
【００４６】
図５はピラミッドの高さと大きさを同一にしそのサイズを変化させるときの色均一度を示すグラフである。
【００４７】
具体的に、図５は前記ピラミッドの高さと底辺を同一にし、全体的にピラミッドのサイズを変化させるときの、前記バックライトアセンブリ５から出射される白色光の色均一度を示す。グラフの横軸は前記ピラミッドの底辺の長さを示す。
【００４８】
図５を参照すると、前記ピラミッドの高さと前記底辺の大きさとの比率は１：１であり、前記底辺の大きさが約７ｍｍ乃至１１ｍｍの場合、最高点が約６０．５５％であり、従来の色均一度より向上された色均一度を有する白色光を得ることができることがわかる。
【００４９】
図６は本発明の他の実施形態によるバックライトアセンブリの部分斜視図である。
【００５０】
図６を参照すると、バックライトアセンブリ１００は複数個の点光源（図示せず）、光学シート（図示せず）及び反射板１５０を含む。前記バックライトアセンブリ１００は、前記反射板１５０を除いては図１乃至図３に示されたバックライトアセンブリ５と実質的に同一である。
【００５１】
前記反射板１５０は、反射部１５１の形状を除いては図１乃至図３に示された反射板５０と実質的に同一である。
【００５２】
前記反射部１５１は半円形の外形状を有する。以下、前記反射部１５１をエンボシング部と称する。前記エンボシング部は円または楕円形状の底面を有する。前記パターンは複数個の前記エンボシングからなり、前記エンボシング部の底面は互いに接するか所定間隔離隔されることができる。
【００５３】
図７はエンボシング部の高さを固定しエンボシング部の底面の半径の大きさを変化させるときの色均一度を示すグラフである。
【００５４】
具体的に、図７は前記エンボシングの底面が互いに接する場合、前記エンボシング部の高さを固定し、前記エンボシング部の底面の半径長さを変化させるとき、図４で説明した実験方式と同一方式による色均一度を示す。
【００５５】
図７を参照すると、前記反射部１５１がピラミッド形状である場合の色均一度に比べて従来の色均一度より改善された点がさらに多いことがわかる。また、前記反射部１５１のサイズ変化によって得られたデータがより安定的であることがわかる。
【００５６】
本実施形態において、色均一度のピーク点は前記底面の直径が約６ｍｍである場合に示される。従って、誤差を考慮すると、前記エンボシング部の高さと前記底面の半径との比率は、１．０：２．９乃至３．１であることが望ましい。
【００５７】
図８はエンボシング部の高さと底辺の半径を同一にしエンボシング間の離隔間隔を変化させるとき色均一度を示すグラフである。
【００５８】
具体的に、図８は前記エンボシング部の高さと底面の半径の長さを６ｍｍに同一にし前記底面間の離隔間隔を変化させるときの色均一度を示す。
【００５９】
図８を参照すると、本実施形態において、色均一度のピーク点は前記底面間の離隔間隔が約４．８ｍｍである場合に示される。従って、若干の誤差を考慮すると、前記エンボシング部の高さ、前記エンボシング部の底面の半径及び隣接した前記底面間の離隔間隔の比率は、１：１：０．７乃至０．９であることが望ましい。
【００６０】
図９乃至図１１はパターンの配列方式を示すグラフである。
【００６１】
一方、図８の実験のように前記エンボシング部の底面が相互に離隔される場合、前記バックライトアセンブリ１００が出射する白色光の色均一度は、前記エンボシング部の配列方式に影響を受ける。前記色均一度の向上のために、前記反射板１５０で前記エンボシング部が配列される密度が位置に関係なしに均一であることが望ましい。
【００６２】
従って、前記エンボシング部の配列方式は図９に示されたように、長方形形態に配列するか、図１０に示されたように、菱形形態に配列するか、図１１に示されたように、五角形態に配列することができる。これとは異なる実施形態において、前記エンボシング部の配列方式は、前記した形態と異なる多角形形態に変更されることができる。
【００６３】
一方、図１乃至図１１では前記反射部１５１が凸形状で形成される形態を示したが、前記実施形態と異なる実施形態において、前記反射部１５１は前記反射板１５０に凹形状で形成されることもできる。この場合でも、凹形状で形成された前記反射部１５１は、前記反射光を前記側方向に拡散させる機能を同様に行うことができる。
【００６４】
＜表示装置＞
図１２は本発明の一実施形態による表示装置の断面図である。
【００６５】
図１２を参照すると、表示装置３００は、複数個の点光源３１０、光学シート３３０、反射板３５０及び表示パネル３８０を含む。
【００６６】
前記点光源３１０は、図１乃至図３に示された点光源１０と実質的に同一である。従って、前記点光源３１０は赤色光、緑色光及び青色光を出射する。これのために、前記点光源３１０は赤色発光ダイオードＲ、緑色発光ダイオードＧ及び青色発光ダイオードＢを含む。
【００６７】
前記光学シート３３０及び拡散板３５０は、図１乃至図３に示された光学シート３０及び反射板５０と実質的に同一である。これと異なる他の実施形態において、前記反射板３５０は図６に示された反射板１５０に代替されることができる。
【００６８】
前記光学シート３３０は、前記赤色光、緑色光及び青色光が混色された白色光のうち一部の光を出射し、残りの光を反射する。前記反射される白色光は色均一度が低い。前記反射板３５０は、前記反射光を再度側方向に拡散させて前記混色程度を増加させる。その結果、前記光学シート３３０からより色均一度が向上された白色光が出射される。
【００６９】
前記表示装置３００は、収納容器３６０及び電源供給基板３２０をさらに含む。前記収納容器３６０は底板３６１及び側壁３６５を含む。前記側壁３６５は前記底板３６１の周辺部に配置され収納空間を形成する。前記側壁３６５の上端には段差部が形成される。
【００７０】
前記底板３６１には前記電源供給基板３２０が配置され、前記電源供給基板３２０は外部の電源供給部から前記点光源３１０の駆動のための駆動電流の印加を受ける。前記電源供給基板３２０には前記点光源３１０が配置される。
【００７１】
前記反射板３５０は前記電源供給基板３２０上に配置され、前記点光源３１０は前記反射板３５０に形成された開口３５３を通じてそれぞれ露出される。
【００７２】
前記光学シート３３０は、前記側壁３６５に形成された段差部によって支持され前記点光源３１０と所定間隔に離隔される。
【００７３】
前記表示装置３００は、前記光学シート３３０の端部位を押しつつ前記収納容器３６０と結合するミドルモールド３７０をさらに含む。例えば、前記ミドルモールドは合成樹脂を含むことができる。
【００７４】
前記表示パネル３８０は、前記ミドルモールド３７０に形成されたガイド溝に配置され、前記光学シート３３０から出射された白色光に基づいて画像を表示する。前記表示パネル３８０は第１基板３８１、第２基板３８５及び液晶層（図示せず）を含む。
【００７５】
前記第１基板３８１は、下部基板及び、前記下部基板上に透明な導電性材質からなり、マトリックス形態に形成された画素電極を含む。前記第１基板３８１は、前記画素電極に画素電圧を印加するスイッチング素子をさらに含む。
【００７６】
前記第２基板３８５は、前記第１基板３８１を向き合うように配置される。前記第２基板３８５は、上部基板及び、前記上部基板に前記画素電極に対応するように配置された色画素を含む。前記色画素はＲ、Ｇ、Ｂ画素を含み、所定の波長を有する光のみを通過させて画像カラーを表示する。前記第２基板３８５は、前記第２基板３８５の全面積に形成され、前記画素電極に対応して透明な導電性材質からなる共通電極をさらに含む。
【００７７】
前記画素電極と共通電極との間に電界が形成されると、前記画素電極と共通電極との間に介在された前記液晶層の配列が変更され、前記液晶層の配列変化によって前記光学シート３３０から提供される前記白色光の透過も調節され、前記表示装置３００は所望する階調の画像を表示する。
【００７８】
以上、詳細に説明したように本発明によると、赤色、緑色及び青色発光ダイオードが直下型に配置されたバックライトアセンブリにおいて、反射板に形成されたパターンに起因して赤色光、緑色光及び青色光の混色効率が増加される。それにより、前記バックライトアセンブリが出射する白色光の色均一度が向上され、表示装置の画質が向上される。
【００７９】
以上、本発明の実施形態によって詳細に説明したが、本発明はこれに限定されず、本発明が属する技術分野において通常の知識を有するものであれば、本発明の技術的思想を逸脱することなく、本発明を修正または変更できる。
【図面の簡単な説明】
【００８０】
【図１】本発明の一実施形態によるバックライトアセンブリの分解斜視図である。
【図２】図１に示されたバックライトアセンブリをＩ−Ｉ‘線に沿って切断した部分断面図である。
【図３】図１に示された領域Ａの拡大図である。
【図４】ピラミッドの高さを固定し、ピラミッドの底辺の大きさを変化させるときの色均一度を示すグラフである。
【図５】ピラミッドの高さと大きさを同一にしそのサイズを変化させるときの色均一度を示すグラフである。
【図６】本発明の他の実施形態によるバックライトアセンブリの部分斜視図である。
【図７】エンボシング部の高さを固定しエンボシング部の底面の半径の大きさを変化させるときの色均一度を示すグラフである。
【図８】エンボシング部の高さと底面の半径を同一にしエンボシング部間の離隔間隔を変化させるときの色均一度を示すグラフである。
【図９】パターンの配列方式を示すグラフである。
【図１０】パターンの配列方式を示すグラフである。
【図１１】パターンの配列方式を示すグラフである。
【図１２】本発明の一実施形態による表示装置の断面図である。
【符号の説明】
【００８１】
５    バックライトアセンブリ、
Ｒ、Ｇ、Ｂ    発光ダイオード、
１０    点光源、
２０    電源供給基板、
３０    光学シート、
３１    拡散板、
３３    拡散シート、
３５    ＤＢＥＦフィルム、
５０    反射板、
５１    反射部、
５３    開口、
１５１    エンボシング部、
３００    表示装置、
３８０    表示パネル。
【図１】
2007200881.tif 000003
【図２】
2007200881.tif 000004
【図３】
2007200881.tif 000005
【図４】
2007200881.tif 000006
【図５】
2007200881.tif 000007
【図６】
2007200881.tif 000008
【図７】
2007200881.tif 000009
【図８】
2007200881.tif 000010
【図９】
2007200881.tif 000011
【図１０】
2007200881.tif 000012
【図１１】
2007200881.tif 000013
【図１２】
2007200881.tif 000014